(57)【要約】      （修正有）【課題】好適な強度を有しつつ、良好な通気性を有する装具を提供する。【解決手段】患部Ｐに巻かれる帯状の装具本体１０を備え、患部Ｐを保持する装具１であって、装具本体１０は、可撓性を有する樹脂製の帯状体であり、複数の通気孔１１の形成されたメッシュ状である。また、装具本体１０は、無負荷状態で基本形状に復元する。さらに、装具本体１０に着脱自在に取り付けられ、装具本体１０を補強するプレート状の前補強プレート２１及び後補強プレート２４を備える。【選択図】図１
2020141767.tif 000002
【特許請求の範囲】
【請求項１】
患部に巻かれる帯状の装具本体を備え、前記患部を保持する装具であって、
前記装具本体は、可撓性を有する樹脂製の帯状体であり、複数の通気孔の形成されたメッシュ状である
ことを特徴とする装具。
【請求項２】
前記装具本体は、無負荷状態で基本形状に復元する
ことを特徴とする請求項１に記載の装具。
【請求項３】
前記装具本体に着脱自在に取り付けられ、当該装具本体を補強するプレート状の補強部材を備える
ことを特徴とする請求項１又は請求項２に記載の装具。
【請求項４】
前記装具本体にファイバーが混在している
ことを特徴とする請求項１から請求項３のいずれか１項に記載の装具。
【発明の詳細な説明】
【技術分野】
【０００１】
本発明は、装具に関する。
【背景技術】
【０００２】
腰部を保持する装具として、セルロイド等の硬質材料から形成された硬性の装具と、布等の軟質材料から形成された軟性の装具と、が知られている（特許文献１、非特許文献１参照）。硬性の装具は、変形し難く、腰椎の動きが制限され、腰部の負担が低減される。一方、軟性の装具は、ある程度の柔軟性を有するため、腰部の可動範囲を確保している。
【先行技術文献】
【特許文献】
【０００３】
【特許文献１】特開昭５９−２２５４４号公報
【非特許文献１】公益財団法人テクノエイド協会企画部発行、補装具費支給事務ガイドブック（平成３０年度  告示改正対応版）、ｐ．１３１−１８９
【発明の概要】
【発明が解決しようとする課題】
【０００４】
しかしながら、硬性の装具は、セルロイド板等の硬質材料から形成されるため、通気性を確保するために通気孔を形成すると、装具自体が破損してしまう虞がある。なお、通気性の低い装具を装着すると、装着中に腰部が蒸れ易くなり、滴るほどに汗を掻く場合もある。
【０００５】
そこで、本発明は、好適な強度を有しつつ、良好な通気性を有する装具を提供することを課題とする。
【課題を解決するための手段】
【０００６】
前記課題を解決するための手段として、本発明は、患部に巻かれる帯状の装具本体を備え、前記患部を保持する装具であって、前記装具本体は、可撓性を有する樹脂製の帯状体であり、複数の通気孔の形成されたメッシュ状であることを特徴とする装具である。
【０００７】
このような構成によれば、装具本体は複数の通気孔の形成されたメッシュ状であるから、装具の装着中、患部が蒸れ難くなる。また、装具本体は、可撓性を有する樹脂製の帯状体であるから、布等の軟質材料から形成される軟性の装具よりも強度が高くなり、患部を良好に保持できる。
【０００８】
さらに、装具本体は、可撓性、つまり、柔軟性を有するので、患部の運動に追従して撓みながら変形する。これにより、装具本体と患部との間に隙間（空隙）が形成され難くなる。すなわち、装具本体と患部との接触率は良好値となり、装具による患部の支持性は向上する。
【０００９】
また、前記装具本体は、無負荷状態で基本形状に復元する構成としてもよい。
【００１０】
ここで、無負荷状態は、装具本体に外力が作用していない状態を意味する。例えば、患部が体幹部である場合、無負荷状態とは、体幹部の前屈運動や後反り運動によって、体幹部から装具本体に曲げ応力（外力）が作用していない状態を意味する。
【００１１】
また、基本形状は、基本状態（自然状態、中立状態）にある患部に対応した形状を意味する。例えば、患部が体幹部である場合、基本状態は、前屈状態や後反り状態ではなく、直立状態を意味する。
【００１２】
したがって、このような構成によれば、装具本体は無負荷状態において基本形状であるので、患者は装具を患部に隙間なく装着できる。また、装具本体は、無負荷状態で基本形状に復元するので、つまり、患部が基本状態に戻り外力が無くなると、装具本体が基本形状に戻るので、患者は装具を快適に装着できる。
【００１３】
また、前記装具本体に着脱自在に取り付けられ、当該装具本体を補強するプレート状の補強部材を備える構成としてもよい。
【００１４】
このような構成によれば、補強部材を装具本体に装着することで、装具本体を補強し、セルロイド板等の硬質材料から形成される硬性の装具と同等の強度となる。また、補強部材は装具本体に着脱可能であるので、装具の強度を容易に調整できる。さらに、補強部材は、プレート状であるので、装具本体の強度が好適に高くなり、患部を良好に保持できる。
【００１５】
また、前記装具本体にファイバーが混在している構成としてもよい。
【００１６】
このような構成によれば、装具本体にファイバーが混在しているので、装具本体の強度が高くなり、患部を良好に保持できる。また、ファイバーの種類、長さ、含有量を変更することで、装具本体の強度を容易に変更できる。
【発明の効果】
【００１７】
本発明によれば、好適な強度を有しつつ、良好な通気性を有する装具を提供することができる。
【図面の簡単な説明】
【００１８】
【図１】本実施形態に係る装具の斜視図である。
【図２】本実施形態に係る装具の右前部の図あり、（ａ）は前補強プレートを脱離した状態、（ｂ）は前補強プレートを装着した状態を示している。
【図３】本実施形態に係る装具の左前部の図ある。
【図４】本実施形態に係る装具の後部の図であり、（ａ）は後補強プレートを脱離した状態、（ｂ）は後補強プレートを装着した状態を示している。
【図５】本実施形態に係る装具の後面図である。
【発明を実施するための形態】
【００１９】
本発明の一実施形態について、図１〜図５を参照して説明する。なお、ここでは、装具１が人の腰用である場合を例示するが、本発明の用途がこれに限定されることはない。また、以下の説明において、図１に示す「前、後、左、右、上、下」を基準とする。
【００２０】
≪装具の構成≫
装具１は、脊椎（髄）疾患を抱える患者の患部Ｐ（体幹部）を保持する医療器具である。体幹部は、首及び胴体を指す部分であり、手足を含まない。装具１は、装具本体１０と、前補強プレート２１及び後補強プレート２４と、２本の装着用ベルト３１と、締め付け用ベルト４１と、を備えている。ただし、締め付け用ベルト４１を備えない構成でもよい。
【００２１】
＜装具本体＞
装具本体１０は、患部Ｐに巻かれる帯状の帯状体あると共に、平面視で略Ｃ字形を呈し前側が開いた円筒体である。すなわち、装具本体１０は、右前側の右前部１０Ａと、左前側の左前部１０Ｂと、後側（背面側）の後部１０Ｃと、を備えている。
【００２２】
装具本体１０は、樹脂製で形成されており、可撓性を有している。装具本体１０の厚さは、概ね、０．５ｍｍ〜５．０ｍｍである。樹脂としては、例えば、熱可塑性樹脂、具体的には、ポリプロピレン、低密度／高密度ポリエチレン、エチレン酢酸ビニルを使用できる。
【００２３】
このように、装具本体１０は可撓性・柔軟性（体動追従性）を有するので、例えば、患者が前屈みや反り返り等して患部Ｐを曲げた際、これに追従して装具本体１０が撓むようになっている。これにより、装具本体１０と患部Ｐとの間に隙間（空隙）は形成され難く、装具本体１０の患部Ｐに対しての接触率（人体接触率）は良好に維持される。
【００２４】
ただし、後記するファイバーの種類・長さ・含有量、補強部材１７の大きさ・数、前補強プレート２１の大きさ、後補強プレート２４の大きさ等の組み合わせを変更することで、装具本体１０の強度を飛躍的に高めることもできる。このような高強度の装具本体１０によれば、例えば、手術直後において、医師の要望に対応して、患部Ｐの高度な体動の制限を実現することもできる。
【００２５】
このようにして、装具本体１０は、柔軟性（可撓性）を有しつつも、患部Ｐの固定性を低下させずに、接触率を向上することで、患部Ｐの支持性（固定性）を向上させている。これに対して、装具本体１０が患部Ｐの運動に追従せず、装具本体１０と患部Ｐとの間に隙間が形成された場合、この隙間の形成程度に対応して、装具本体１０に支持性が低下してしまう。
【００２６】
また、装具本体１０は、樹脂製であるので、金属製の装具に対して軽量である。具体的には、装具本体１０は、従来品に対して、約１／２〜２／３となる。
【００２７】
このような装具本体１０の降伏強度は、例えば、体幹装具である場合、９０００（Ｎ／ｍ）以上に設計され、上肢装具、下肢装具である場合、３０００（Ｎ／ｍ）以上に設計される。降伏強度は、塑性変形を起こさずに、材料に生じさせることのできる最大応力である。
【００２８】
また、装具本体１０には、ファイバー（繊維）が混在している。ファイバーは、例えば、装具本体１０の基材となる樹脂製のメッシュシートの成形前、樹脂の混錬物に混練りされる。ファイバーとしては、例えば、短繊維、長繊維を使用でき、具体的には、セルロースナノファイバー、カーボンファイバー、カーボンナノファイバー等を使用できる。１つのファイバーを使用してもよいし、複数の繊維を混合して使用してもよい。
【００２９】
このように、ファイバーが混在しているので、装具本体１０の強度が高くなり、患部Ｐを良好に保持できる。また、ファイバーの種類、長さ、含有量を変更することで、装具本体１０の強度を容易に変更できる。ただし、装具本体１０にファイバーが混在していない構成でもよい。
【００３０】
さらにまた、抗菌性（殺菌性）、消臭性を高めるために、装具本体１０に抗菌剤が混在（混練）又は付着した構成としてもよい。抗菌剤としては、例えば、銀、銅の金属固体、金属イオン、金属錯体を使用できる。
【００３１】
装具本体１０の全体には略一定の密度で略同一形状である複数の通気孔１１が複形成されており、装具本体１０はメッシュ状を呈している。これにより、装具本体１０は良好な通気性を有しており、装具１の装着中に患部Ｐが蒸れにくく快適性が確保されている。通気孔１１の大きさは、概ね、３ｍｍ〜２０ｍｍ程度である。通気孔１１の形状は、特に限定されず、円形、三角形、四角形、五角形、六角形等のいずれでもよい。なお、このように複数の通気孔１１が形成されているが、装具本体１０が可撓性を有するので、装着中に装具本体１０が破損することはない。
【００３２】
装具本体１０に対する通気孔１１全体の割合（通気孔１１全体の面積／装具本体１０の面積、生体接触率、通気孔率）は、例えば、２０〜９０％、好ましくは３０〜９０％、さらに好ましくは３５〜６５％である。通気孔１１の割合が大きくなると通気性は高まるが、装具本体１０の強度が低下するので、装具本体１０の材質、患部Ｐの状態等を考慮して、設計することが好ましい。
【００３３】
また、患部の種類に対応して、つまり、装具１の種類に対応して、通気孔１１全体の割合を変更することも可能である。例えば、装具１が、体幹装具、下肢装具である場合、通気孔１１全体の割合を５０〜５５％に設計し、上肢装具である場合、３０〜４０％に設計してもよい。
【００３４】
さらに、装具１における通気性や装着性（フィット性）を高めるために、装具本体１０の内周面に薄シート状の裏あて材（裏地、内張材）が貼付された構成でもよい。裏あて材は、例えば、ポリエステルを主成分とする三層構造であって、厚さ１．０ｍｍ〜４．０ｍｍ程度の薄型クッションシート状で構成される。
【００３５】
具体的には、裏あて材は、装具本体１０に貼付される高密度のベースシートと、患部Ｐ側に配置され１．０ｍｍ〜３．０ｍｍ程度の通気孔が複数形成された表面シートと、ベースシート及び表面シートの間に配置され弾力性及び通気性を有するスポンジ状の中間層と、を備えている。なお、裏あて材は、装具本体１０の内周面全体に貼付された構成でもよいし、密着性の高い箇所に部分的に（例えば前腹部側のみに）貼付された構成でもよい。
【００３６】
さらにまた、装着中における装具１のずれを防止するために、装具本体１０の内周面に、滑り止めシートが部分的に貼付された構成でもよい。滑り止めシートの表面は、粘着性を有することが好ましく、例えば、ポリ塩化ビニルを主成分とする粘着層が形成される。また、滑り止めシートは、患部Ｐ近傍の比較的硬い部分（例えば骨盤）に対応する装具本体１０の内周面に貼付されることが好ましい。
【００３７】
また、装具本体１０は、無負荷状態で基本形状に復元するように構成されている。すなわち、装具本体１０は、患部Ｐ（体幹部）の基本状態における外形に対応した基本形状を記憶している。無負荷状態とは、体幹部の前屈運動や後反り運動によって、装具本体１０に曲げ応力（外力）が作用していない状態である。基本状態とは、自然状態、中立状態であり、ここでは、前屈状態や後反り状態ではなく、直立状態である。
【００３８】
すなわち、装具本体１０は、負荷（外力）により撓んだとしても、無負荷状態になると患部Ｐに対応した基本形状に自発的に戻る復元力を有している。これにより、装具本体１０を患部Ｐに隙間なく良好に装着しつつ、装具１は患部Ｐを良好に保持可能である。
【００３９】
このような装具本体１０における基本形状の記憶は、例えば、基材となるポリプロピレン製のメッシュシート（樹脂製の成形シート）を、その塑性変形可能な温度（例えば、１５０〜２００℃）以上に加熱後、患部Ｐを象った石膏製の腰型に沿って塑性変形させ、その後放冷することで行うことができる。
【００４０】
装具本体１０の外周縁部には、縁取りテープ１２（バイアステープ）が取り付けられている。これにより、外周縁部の破損を防止しつつ、装具１の装着中に患部Ｐが損傷することもない。
【００４１】
図２に示すように、右前部１０Ａには、舌片状の被重ね合わせ部１３が取り付けられている。被重ね合わせ部１３は、装着時に、装具本体１０の左前部１０Ｂの内側に重ねられる部分であり、例えば、人工皮革で形成されている。被重ね合わせ部１３の内側面には、２つの面ファスナー１４、１４が固定されている。面ファスナー１４は、後記する前補強プレート２１の面ファスナー２２と合わさる部分である。なお、例えば、面ファスナー１４はループ型（メス型）、面ファスナー２２はフック型（オス型）で構成される。
【００４２】
図３に示すように、左前部１０Ｂには、２つの細長枠状のリング１５、１５がリング保持部材１６、１６でそれぞれ回動自在に固定されている。リング１５は、後記する装着用ベルト３１が挿通され折り返される部分である。
【００４３】
右前部１０Ａ（図２参照）、左前部１０Ｂ（図３参照）、後部１０Ｃ（図４参照）の外周面には、上下方向に延びる細長板状の補強部材１７がそれぞれ固定されている。詳細には、補強部材１７を被う布製のカバー部材が装具本体１０に固定されている。補強部材１７は、例えば、ジュラルミン製、樹脂製であり、軽量化が図られている。なお、右前部１０Ａ等の内周面に補強部材１７が固定された構成でもよい。
【００４４】
このように、右前部１０Ａ、左前部１０Ｂ、後部１０Ｃに、補強部材１７がそれぞれ固定されているので、装具本体１０の曲げ強度は飛躍的に高められている。これにより、装具本体１０は、患部Ｐを良好に保持可能となる。また、補強部材１７は、細長板状であるので、装具本体１０の通気性が低下することもない。
【００４５】
なお、補強部材１７の数は、３つに限定されず、適宜変更自由である。すなわち、補強部材１７の数を多くしたり、幅広にしたり、厚くしたりすることで、装具本体１０の強度を高めて、患部Ｐの体動をさらに制限し、装具１による拘束力を高めることもできる。後記する前補強プレート２１、後補強プレート２４についても同様である。
【００４６】
後部１０Ｃの内周面（図４（ａ）参照）には、面ファスナー１８が固定されている。面ファスナー１８は、後記する後補強プレート２４の面ファスナー２５と合わさる部分である。
【００４７】
＜前補強プレート、後補強プレート＞
図２に示すように、前補強プレート２１は、被重ね合わせ部１３（装具本体１０）に着脱自在に取り付けられ、装具本体１０を補強するプレート状の樹脂製部材である。前補強プレート２１の前面には、２つの面ファスナー２２、２２が固定されている。２つの面ファスナー２２は、前記した２つの面ファスナー１４、１４に合わせられる。また、前補強プレート２１には、通気性の確保するための複数の通気孔２３が形成されている。
【００４８】
図４に示すように、後補強プレート２４は、装具本体１０の後部１０Ｃに着脱自在に取り付けられ、装具本体１０を補強するプレート状の樹脂製部材である。後補強プレート２４の後面には、１つの面ファスナー２５が固定されている。１つの面ファスナー２５は、前記した１つの面ファスナー１８に合わせられる。また、後補強プレート２４には、通気性の確保するための複数の通気孔２６が形成されている。
【００４９】
このように、前補強プレート２１は２組の面ファスナー組（面ファスナー１４、２２）で取り付けられ、後補強プレート２４は１組の面ファスナー組（面ファスナー１８、２５）で取り付けられる構成である。すなわち、前後において、面ファスナー組の組数が異なるので、前補強プレート２１、後補強プレート２４の誤装着が防止されている。
【００５０】
＜装着用ベルト＞
図１、図２に示すように、２本の装着用ベルト３１は、装具１の装着時、装具本体１０の右前部１０Ａと左前部１０Ｂとに掛け渡される部材である。ただし、装着用ベルト３１の数は変更自由である。各装着用ベルト３１の基部は装具本体１０の右前部１０Ａに固定されている。そして、装着用ベルト３１の１／２基部側には面ファスナー３２が固定されており、１／２先端側には面ファスナー３３が固定されている。例えば、面ファスナー３２はループ型、面ファスナー３３はフック型で構成される。
【００５１】
そして、装具１の装着時、各装着用ベルト３１の先端をリング１５に挿通した後折り返し、面ファスナー３２と面ファスナー３３とを合わせるようになっている。
【００５２】
＜締め付け用ベルト＞
図１、図５に示すように、締め付け用ベルト４１は、装具１の装着中、装具１による患部Ｐの締め付け力を高める場合に使用するベルトである。締め付け用ベルト４１は、後側の補強部材１７から周方向に延びる略Ｖ字形のゴム部４２、４２と、右側のゴム部４２の先端に固定された面ファスナー４３と、右側のゴム部４２の先端に固定された面ファスナー４４と、を備えている。なお、ここでは、面ファスナー４３はフック型、面ファスナー４４はループ型で構成されている。
【００５３】
各ゴム部４２は、伸縮性を有する２本のゴムバンドの一端部を補強部材１７に固定し、他端部同士を重ね合わせ縫合することで略Ｖ字形に構成されている。このように伸縮性の有するゴム部４２が略Ｖ字形であるので、締め付け用ベルト４１による締め付け力が上下方向において均等に作用し、上下方向において幅広の範囲で全体的に締め付けられる。ただし、その他に例えば、ゴム部４２を幅広の１本のゴムバンドで構成してもよい。
【００５４】
そして、ゴム部４２、４２を伸長させながら、面ファスナー４３と面ファスナー４４とを重ね合わせることで、締め付け用ベルト４１が締結されるように構成されている。その結果、締め付け用ベルト４１が装具本体１０を介して患部Ｐを締め付けるようになっている。
【００５５】
≪装具の作用効果≫
装具１の作用効果を説明する。
装具本体１０が複数の通気孔１１の形成されたメッシュ状であり通気性を有するので、患部Ｐが蒸れ難くなり、滴るほどに汗を掻くこともない。また、装具本体１０は、可撓性を有する樹脂製の帯状体であるから、軽量であると共に、軟性の装具よりも強度が高くなり、患部Ｐを良好に保持できる。
【００５６】
また、装具本体１０が無負荷状態で基本形状に復元する構成であるので、装具１を患部Ｐに隙間なく装着できる。すなわち、患者は装具１を快適に装着できる。
【００５７】
さらに、装具本体１０に前補強プレート２１及び後補強プレート２４を装着すると、装具１の強度が従来の硬性の装具と同等なる。一方、装具本体１０から前補強プレート２１及び後補強プレート２４を脱離すると、装具１の強度が従来の軟性の装具と同等になる。すなわち、前補強プレート２１及び後補強プレート２４を装着／脱離することで、装具１の強度を患部Ｐの状態に対応して可変できる。つまり、患者は、患部Ｐの治療回復状況等に対応して、硬性の装具、軟性の装具を所有する必要がない。
【００５８】
さらにまた、装具本体１０にファイバーが混在しているので、装具本体１０の強度が良好に高められている。これにより、装具本体１０は、患部Ｐを良好に保持できる。
【００５９】
また、ファイバー、補強部材１７、前補強プレート２１、後補強プレート２４を適宜に組み合わせることで、装具１の柔軟性（体動追従性）のみでなく、患部Ｐにおける体動を制限することもできる。
【００６０】
以上、本発明の一実施形態について説明したが、本発明はこれに限定されず、例えば、次のように変更してもよい。
【００６１】
前記した実施形態では、装具１が体幹部を保持（固定）する構成を例示したが、その他に例えば、指、肘、肩、首（頸椎）、胸（胸椎）、仙椎、股、膝、足等を保持する構成でもよい。すなわち、本発明は、下肢装具、靴型装具、体幹装具、上肢装具のいずれに適用してもよい。また、装具１が、例えば、肉離れした部位や、筋違いした部位を保持しサポートする構成でもよい。
【００６２】
前記した実施形態では、装具１が人用（人間用）である構成を例示したが、その他に例えば、犬用、猫用、鳥用、その他動物用である構成でもよい。
【００６３】
前記した実施形態では、装具１が、前補強プレート２１及び後補強プレート２４を備える構成を例示したが、その他に例えば、補強プレートの数、取り付け位置は変更自由である。
【００６４】
前記した実施形態では、補強部材１７が装具本体１０に固定された構成を例示したが、その他に例えば、補強部材１７が装具本体１０に対して着脱自在である構成でもよい。この場合、例えば、装具本体１０に補強部材１７を収容可能なポケットを取り付けることで構成できる。
【００６５】
前記した実施形態では、装着用ベルト３１において、面ファスナー３２及び面ファスナー３３が合わさることで固定される構成を例示したが、その他に例えば、右前部１０Ａから延びる装着用ベルトが、左前部１０Ｂに固定されたバックルに留められる構成でもよい。締め付け用ベルト４１についても同様である。
【００６６】
前記した実施形態では、装具本体１０の全体に通気孔１１が形成された構成を例示したが、通気孔１１の大きさ、分布（密度）は変更自由である。
【００６７】
前記した実施形態では、装具本体１０が、患部Ｐ（体幹部）の基本形状に対応した構成、つまり、患者毎に個別に対応したオーダーメイド品（注文品）である構成を例示したが、その他に例えば、Ｓサイズ、Ｍサイズ、Ｌサイズ等の既製品（規格品）である構成でもよい。この場合において、装具本体１０の無負荷状態（基本状態）における基本形状は、例えば、標準体形に基づいて設計される。
【００６８】
前記した実施形態では、装具本体１０が平面視で略Ｃ字形を呈し前側が開いた円筒体である構成を例示したが、その他に例えば、装具本体１０が前後方向に分割された構成でもよい。すなわち、例えば、装具本体１０が、平面視において、２／３円弧状を呈する前側の前ハーフと、２／３円弧状を呈する後側の後ハーフとが、腰部両側方で部分的に重なり組み合わさることで構成されてもよい。この場合において、前ハーフと後ハーフとの組み付け状態は、例えば、面ファスナーによって維持される。なお、このような構成は、前ハーフと後ハーフとが患部Ｐを挟む構成であるので、サンドイッチタイプと称されることもある。
【００６９】
前記した実施形態では、装具本体１０が、一層構成、つまり、塑性変形後の１枚のメッシュシートである構成を例示したが、その他に例えば、全体として複数のメッシュシートが重ねられた多層構成や、部分的にメッシュシートが重ねられた構成でもよい。すなわち、例えば、補強部材１７が固定される部分等の補強すべき部分のみにおいてメッシュシートの２層構成であってもよい。このように部分的にメッシュシートを多層構成とすることで装具本体１０の強度を部分的に高めることができる。
【符号の説明】
【００７０】
１      装具
１０    装具本体
１０Ａ  右前部
１０Ｂ  左前部
１０Ｃ  後部
１１    通気孔
２１    前補強プレート（補強部材）
２４    後補強プレート（補強部材）
Ｐ      患部
【図１】
2020141767.tif 000003
【図２】
2020141767.tif 000004
【図３】
2020141767.tif 000005
【図４】
2020141767.tif 000006
【図５】
2020141767.tif 000007
【手続補正書】
【提出日】令和1年7月26日(2019.7.26)
【手続補正１】
【補正対象書類名】特許請求の範囲
【補正対象項目名】全文
【補正方法】変更
【補正の内容】
【特許請求の範囲】
【請求項１】
患部に巻かれる帯状の装具本体と、
前記装具本体に着脱自在に取り付けられ、当該装具本体を補強するプレート状である第１補強部材及び第２補強部材と、
前記装具本体に前記第１補強部材を着脱自在に取り付ける第１面ファスナー組と、
前記装具本体に前記第２補強部材を着脱自在に取り付ける第２面ファスナー組と、
を備え、前記患部を保持する装具であって、
前記装具本体は、可撓性を有する樹脂製の帯状体であり、複数の通気孔の形成されたメッシュ状であり、
前記第１面ファスナー組の組数と前記第２面ファスナー組の組数とは異なる
ことを特徴とする装具。
【請求項２】
患部に巻かれる帯状の装具本体と、
前記装具本体の一端部に取り付けられ、装着時に前記装具本体の他端部の内側に重ねられる舌片状の被重ね合わせ部と、
前記被重ね合わせ部の内側面に着脱自在に取り付けられ、前記装具本体を補強するプレート状である第１補強部材と、
前記被重ね合わせ部に対向する前記装具本体の内側面に着脱自在に取り付けられ、前記装具本体を補強するプレート状である第２補強部材と、
前記被重ね合わせ部に前記第１補強部材を着脱自在に取り付ける第１面ファスナー組と、
前記装具本体に前記第２補強部材を着脱自在に取り付ける第２面ファスナー組と、
を備え、前記患部を保持する装具であって、
前記装具本体は、可撓性を有する樹脂製の帯状体であり、複数の通気孔の形成されたメッシュ状であり、
前記第１面ファスナー組の組数と前記第２面ファスナー組の組数とは異なる
ことを特徴とする装具。
【請求項３】
前記第１補強部材及び前記第２補強部材には、通気性を確保するための複数の通気孔がそれぞれ形成されている
ことを特徴とする請求項１又は請求項２に記載の装具。
【請求項４】
前記装具本体の内側面に固定され、表面が粘着性を有し装着中のずれを防止するための滑り止めシートを備える
ことを特徴とする請求項１から請求項３のいずれか１項に記載の装具。
【請求項５】
前記装具本体は、無負荷状態で基本形状に復元する
ことを特徴とする請求項１から請求項４のいずれか１項に記載の装具。
【請求項６】
前記装具本体にファイバーが混在している
ことを特徴とする請求項１から請求項５のいずれか１項に記載の装具。
【手続補正２】
【補正対象書類名】明細書
【補正対象項目名】０００６
【補正方法】変更
【補正の内容】
【０００６】
前記課題を解決するための手段として、本発明は、患部に巻かれる帯状の装具本体と、前記装具本体に着脱自在に取り付けられ、当該装具本体を補強するプレート状である第１補強部材及び第２補強部材と、前記装具本体に前記第１補強部材を着脱自在に取り付ける第１面ファスナー組と、前記装具本体に前記第２補強部材を着脱自在に取り付ける第２面ファスナー組と、を備え、前記患部を保持する装具であって、前記装具本体は、可撓性を有する樹脂製の帯状体であり、複数の通気孔の形成されたメッシュ状であり、前記第１面ファスナー組の組数と前記第２面ファスナー組の組数とは異なることを特徴とする装具である。
また、前記課題を解決するための手段として、本発明は、患部に巻かれる帯状の装具本体と、前記装具本体の一端部に取り付けられ、装着時に前記装具本体の他端部の内側に重ねられる舌片状の被重ね合わせ部と、前記被重ね合わせ部の内側面に着脱自在に取り付けられ、前記装具本体を補強するプレート状である第１補強部材と、前記被重ね合わせ部に対向する前記装具本体の内側面に着脱自在に取り付けられ、前記装具本体を補強するプレート状である第２補強部材と、前記被重ね合わせ部に前記第１補強部材を着脱自在に取り付ける第１面ファスナー組と、前記装具本体に前記第２補強部材を着脱自在に取り付ける第２面ファスナー組と、を備え、前記患部を保持する装具であって、前記装具本体は、可撓性を有する樹脂製の帯状体であり、複数の通気孔の形成されたメッシュ状であり、前記第１面ファスナー組の組数と前記第２面ファスナー組の組数とは異なることを特徴とする装具である。
【手続補正３】
【補正対象書類名】明細書
【補正対象項目名】０００８
【補正方法】変更
【補正の内容】
【０００８】
さらに、装具本体は、可撓性、つまり、柔軟性を有するので、患部の運動に追従して撓みながら変形する。これにより、装具本体と患部との間に隙間（空隙）が形成され難くなる。すなわち、装具本体と患部との接触率は良好値となり、装具による患部の支持性は向上する。
さらにまた、補強部材を装具本体に装着することで、装具本体を補強し、セルロイド板等の硬質材料から形成される硬性の装具と同等の強度となる。また、補強部材は装具本体に着脱可能であるので、装具の強度を容易に調整できる。さらに、補強部材は、プレート状であるので、装具本体の強度が好適に高くなり、患部を良好に保持できる。
【手続補正４】
【補正対象書類名】明細書
【補正対象項目名】００１３
【補正方法】変更
【補正の内容】
【００１３】
また、前記第１補強部材及び前記第２補強部材には、通気性を確保するための複数の通気孔がそれぞれ形成されている構成としてもよい。
【手続補正５】
【補正対象書類名】明細書
【補正対象項目名】００１４
【補正方法】変更
【補正の内容】
【００１４】
また、前記装具本体の内側面に固定され、表面が粘着性を有し装着中のずれを防止するための滑り止めシートを備える構成としてもよい。